Podtech/llm-jp-corpus-v4-ja_patent huggingface dataset:
(57)【要約】      （修正有）【課題】髪の毛の薄毛部位に毛根柄を描くことで簡単に薄毛を根元から多く太く見せる多芯スタンプ型ペンを提供する。【解決手段】本体３に、同一もしくは多種の太さのペン芯１、太いペン芯２を多数、スタンプ形状になるように並列に配置した事を特徴とする多芯スタンプ型ペンとする。薄毛部位の頭皮に多芯スタンプ型ペンを垂直に持ちスタンプを頭皮に押すように、毛根柄を描く。特に毛髪の薄い部分は複数回繰り返すようにすることが好ましい。使用するインクの色は、黒色、こげ茶色の艶消しが効果的で、白髪の毛髪は墨色が一番自然で効果的である。インクに育毛剤等を添加すると育毛効果も期待できる。【選択図】図１
0003182888.tif 000002
【実用新案登録請求の範囲】
【請求項１】
多種の太さの多芯を持ち、一度で多くの毛根柄を描くことの出来る多芯スタンプ型ペン
【請求項２】
頭皮に毛根柄を描くことを特徴とする請求項１記載の多芯スタンプ型ペンの使用方法
【請求項３】
育毛剤配合のインクを使用した請求項１に使用した多芯スタンプ型ペン
【考案の詳細な説明】
【技術分野】
【０００１】本考案は頭皮に毛根柄を描くことの出来る多芯スタンプ型ペンに関するものである。
【背景技術】
【０００２】髪の毛が薄毛に見えるのは、髪の隙間から頭皮が見えた時、頭皮にある毛根が小さい、数が少ない、無い、白い、場合に特に薄毛に見える。
薄毛を補修するために、頭皮が透けて見える細毛及び白毛の部位に対し、何か付着させて毛髪を太く黒くしたり、人工かつらを使用したりする方法、頭皮を黒く着色したり頭皮に髪の毛を描き髪の毛を多く見せる方法があるが、どの方法も不自然である。
【考案の概要】
【考案が解決しようとする課題】
【０００３】髪の毛の隙間から頭皮が透けて見えると薄毛に見える。細毛及び白毛で髪の毛が薄く見える部分は、他の部分より毛髪が細くなる及び毛髪本数が減る等で、肌色の頭皮に対し毛髪の根元の黒い毛根が作る頭皮の黒い部分が減少する事で薄毛に見える。さらに白毛の場合には頭皮の肌色に対し白髪の根元である毛根が頭皮の肌色と類似色になり、頭皮の肌色に対し黒い毛根が作る黒い部分が無くなる事で髪の毛が薄毛に見える。
従来の技術、商品は、薄毛に見える原因である、細毛及び白毛で頭皮が透けて地肌が見えるのを隠すために毛髪に何か付けて毛髪を太くする方法、人工かつら等を使用する方法、頭皮を全体的に黒く着色し髪を多く見せる方法、頭皮に髪の毛を直接描く方法等があるが、どの方法も違和感があり自然な感じか否か判断が難しいところである。
従来の技術、商品は毛髪を増やす、太くする等の方法で、薄毛の問題を解決しようとしているが、本考案は細毛、白毛になって減少した毛根の数、黒い部分を多芯スタンプ型ペンを使用して毛根柄に描くことにより地肌に毛根の黒い部分、数を増やして髪の毛を根元から多く太く見せ薄毛に見える問題を解決しようとするものである。
【課題を解決するための手段】
【０００４】ペン先が二〜数十本ある多芯スタンプ型ペンは、細い芯と太い芯などで構成するので描かれた毛根柄が天然の毛根と自然に頭皮になじむ。さらに使用するインクの色は黒色で艶消しが、一番効果的である。
髪の隙間から頭皮が見えた時に太くてさらに多くの毛根部分が見えると髪の毛が根元から太くさらに多く見える。そこで、多芯スタンプ型ペンを使用し、薄毛に見える毛髪の細くなった部分及び白毛になった部分に、頭皮に対し垂直にスタンプを押すように毛根柄を描く。そうする事で頭皮に対する黒色の毛根の割合、密度が増え地肌が見えた時でも、毛根が多く見えることで、毛髪が根元から太く見えより自然に髪の毛が多く見える。
さらに頭皮の毛根柄に黒く描かれている部分と描かれていない頭皮の肌色が存在することにより、頭皮が見えた時の不自然さの問題も解決している。
【考案の効果】
【０００５】毛根柄を頭皮に描く事の出来る多芯スタンプ型ペンを使用し毛根柄を頭皮に描くことで簡単に効果的かつ自然に頭皮の薄く見える部分の毛髪が根元から太く多く見える。毛髪が多く太く見えることで髪の毛も多く見える。さらに髪の生え際、分け目、もみ上げなどの髪の間から頭皮が透けて見えた時でも、地肌の肌色と毛根柄の黒色とが混在することにより違和感なく髪の毛が自然に太く、多く見える。さらに艶消しインクの使用することにより光が当たった時の頭皮の反射も抑えられる。
さらにインクに育毛剤など混ぜることにより育毛効果も期待できる。
【図面の簡単な説明】
【０００６】
【図１】本考案の多芯スタンプ型ペンを示した斜面図である。
【図２】本考案の多芯スタンプ型ペンを示した断面図である。
【考案を実施するための形態】
【０００７】薄毛部位の頭皮に多芯スタンプ型ペンを垂直に持ちスタンプを頭皮に押すように、毛根柄を描く。特に毛髪の薄い部分は複数回繰り返すようにすることが好ましい。使用するインクの色は、黒色、こげ茶色の艶消しが効果的で、白髪の毛髪は墨色が一番自然で効果的である。インクに育毛剤等を添加すると育毛効果も期待できる。
【実施例】
【０００８】ワンレングス等の髪の分け目が直に見える髪形では、頭皮が見えている分け目に使用すると分け目の毛根が多く見え、薄毛に見えない。【０００９】白髪により頭皮が透けて見える部位では、白髪が生えている部位の頭皮に使用すると毛根が黒く見え若々しく見える。【００１０】オールバックなどの生え際が見える髪形では、生え際に使用すると、生え際が濃く見え若々しく精悍な感じに見える。【００１１】育毛剤を配合したインクを使用した場合は、薄毛補修と育毛作業が同時にできる。
【符号の説明】
【００１２】１  塗布体
２  太い塗布体
３  本体
４  支持体
５  インク
【図１】
0003182888.tif 000003
【図２】
0003182888.tif 000004
【手続補正書】
【提出日】平成25年2月4日(2013.2.4)
【手続補正１】
【補正対象書類名】実用新案登録請求の範囲
【補正対象項目名】全文
【補正方法】変更
【補正の内容】
【実用新案登録請求の範囲】
【請求項１】
本体３に、同一もしくは多種の太さのペン芯１、太いペン芯２を多数、スタンプ形状になるように並列に配置した事を特徴とする多芯スタンプ型ペン
【請求項２】
育毛成分配合のインク５を使用した請求項１に記載の多芯スタンプ型ペン
【手続補正２】
【補正対象書類名】明細書
【補正対象項目名】００１２
【補正方法】変更
【補正の内容】
【００１２】１  ペン芯
２  太いペン芯
３  本体
４  支持体
５  インク
(57)【要約】      （修正有）【課題】グリーン上でカップインしたボールに対して体を屈めずに直立した状態で拾い上げることを目的としたボール拾い器具を提供する。【解決手段】グリーン上でカップインしたゴルフボールをカップの中から拾うための器具であって、パター２のグリップエンド３に設けられた穴に装着するための突起部分と、ゴルフボールを拾うための円錐形状とを有することを特徴とする器具。【選択図】図２
0003182883.tif 000002
【実用新案登録請求の範囲】
【請求項１】
イ  グリーン上でカップインしたゴルフボールをカップの中から拾う器具を作る。
ロ  この器具は、パターのグリップエンドに簡単に取り付けられて、カップ内のボールに  拾い器を被せてボールをキャッチ（掴む）しで容易に拾い上げることが出来る。
ハ  従って、わざわざボールを拾う為に体を屈ませることは無くなり、楽にプレーをする  事が可能となり、体への負担（特に足・膝・腰）が容易に軽減される。
以上の如く直立した状態でカップインしたボールを拾い上げることを目的とした、らく  らく拾い器「ボールキャッチャー」。
【考案の詳細な説明】
【考案の詳細な説明】
この考案は、昨今ゴルファーの高齢化が一段と進んで、プレー中の体への負担がいろいろと増えてきている状況となり、少しでも体への負担の軽減を考えた考案である。
カップインされたボールを拾う動作には、膝を折り曲げ腰を落とした状態（屈む）となり、年配者にはかなりの負担となってきている。特に膝への負担は大きいものとなってくる。通常の立っている状態から、らくらくとボールを拾いあげられたらどんなに楽であるかは明白である。
そこで考案されたのは、この負担を除去する為のらくらく拾い器である。パターグリップエンドには通常小さい穴がある。この穴の中には普通ボールマーカーが嵌めこまれることが多い。本案件はこの穴に円錐形状型の「ボールキャッチャー」の突起部分を差し込み固定してボールを拾い上げることを可能とすることにある。
この拾い器の構造は、４２センチ前後のゴルフボールの直径に対し、ややタイトなサイズの部分を有する円錐形の形状をしたキャッチャー（合成ゴム質等）である。このキャッチャーはパタークラブのグリップエンドに取り付けられて、カップ内のボールの約半分程度を上から覆い被せる形となり、円錐形状のタイトな部分でボールを挟み掴むこととなる。この様に直立のままでパタークラブのグリップエンドを利用して容易にカップインしたボールを拾い上げることが出来ることとなる。
以上の構造等を図面によって説明を行う。
【図面の簡単な説明】
【図１】本考案の「ボールキャッチャー」とペッタンコたたまれた状態（使用前）
【図２】パタークラブとグリップエンド
【図３】カップ内のボールに押し込む状況（−１）とボールを掴んだ状態（−２）
【符号の説明】１・・・・ボールキャッチャー
２・・・・パタークラブ）
３・・・・グリップエンド
【図１】
0003182883.tif 000003
【図２】
0003182883.tif 000004
【図３】
0003182883.tif 000005
【手続補正書】
【提出日】平成25年1月21日(2013.1.21)
【手続補正１】
【補正対象書類名】実用新案登録請求の範囲
【補正対象項目名】全文
【補正方法】変更
【補正の内容】
【実用新案登録請求の範囲】
【請求項１】
グリーン上でカップインしたゴルフボールをカップの中から拾うための器具であって、パターのグリップエンドに設けられた穴に装着するための突起部分と、ゴルフボールを拾うための円錐形状とを有することを特徴とする器具。
(57)【要約】      （修正有）【課題】図形パズルは幼児、子供を対象としたものが多く、認知症予防や改善に適した図形パズルが無いため、適した図形パズル考案のため組合せ片の数を減らし難易度も中程度とした携帯可能で脳のトレーニングが容易に出来る図形パズルを提供する。【解決手段】組合せ片を４個とし、組合せによる図形（図１）を１３種類以上出来る図形パズルでコンパクトケース９６×９８×８（ｍｍ）に収納したことにより携帯が可能となり場所を選ばず気軽に脳のトレーニングが出来ることを可能にした。１３種類の解答目標時間は１時間３０分程度を目標とした。【選択図】図１
0003182890.tif 000002
【実用新案登録請求の範囲】
【請求項１】
４種類の組合せ片（１）、（２）、（３）、（４）を課題図を基に組合せを考え、同形図形を形成する楽しさを提供する図形パズルである。
【請求項２】
図形パズルはコンパクトケース９６×９８×８ｍｍに収納し、利便性を高めた。
【考案の詳細な説明】
【考案の概要】
【考案が解決しようとする課題】
【０００１】従来の図形パズルは幼児・子供を対象としたものが多く、組合せ片が多かったり複雑な形状だったりで認知症予防及び改善に適したツールとしての図形パズルの存在が少ない。【０００２】一般に図形パズルは利便性に欠けている。
【課題を解決するための手段】
【０００３】本考案の図形パズルは組合せ片を単純形状の４種類としたため、パズルとしての扱いが容易となり認知症予防や脳機能の回復に適したトレーニングツールとして提供することができた。【０００４】本考案の図形パズルはコンパクトケース  ９６×９８×８（ｍｍ）に収納することにより利便性を高めた。
【考案の効果】
【０００５】図形パズルは指先を使いながら脳を使うため、認知症予防、脳機能の回復、集中力アップ等の効果が期待できます。【０００６】本考案品は少ない部品で１３種類の図形が作れます。また、創意工夫で図形の種類を増やしていく楽しみがあります。【０００７】本考案品は低年齢層から高年齢層の方々まで幅広い年齢層で楽しむことが出来ます。【０００８】本考案品は４個の部品で構成されているため部品の紛失が明確である。【０００９】本考案品はコンパクトサイズに収められているため持ち歩きに便利であり、場所を問わず容易に楽しむことが出来る利便性の高いパズルである。
【図面の簡単な説明】
【００１０】
【図１】本考案の図形パズルの組合せ完成図の１つである。
【図２】本考案の組合せ片の形状図である。
【符号の説明】
【００１１】１  組合せ片（１）
２  組合せ片（２）
３  組合せ片（３）
４  組合せ片（４）
【図１】
0003182890.tif 000003
【図２】
0003182890.tif 000004
【手続補正書】
【提出日】平成25年2月1日(2013.2.1)
【手続補正１】
【補正対象書類名】実用新案登録請求の範囲
【補正対象項目名】全文
【補正方法】変更
【補正の内容】
【実用新案登録請求の範囲】
【請求項１】
３種類の台形形状の組合せ片と１種類の直角二等辺三角形状の組合せ片とからなることを特徴とする図形パズル。
【請求項２】
前記組合せ片をコンパクトケースに収納することを特徴とする請求項１に記載の図形パズル。
【手続補正３】
【補正対象書類名】明細書
【補正対象項目名】０００６
【補正方法】変更
【補正の内容】
【０００６】本考案品は少ない部品で２０種類の図形を課題図に基づき作れます。
(57)【要約】      （修正有）【課題】理美容ハサミのメンテナンスに費やす時間を大巾に短縮出来る様に、獣毛とオイル容器を組み合せて構成した理美容ハサミ専用のオイルペンを提供する。【解決手段】油を収容した液体収容室１２と、獣毛からなる毛束部分２から構成される塗布体１と、前記液体収容室と連通して、前記塗布体に油を染み込ませる液体吐出パイプ９と、前記液体収容室の後端側に配置され、ツマミ部分を回すことにより適量の油を抽出可能なダイヤル回転部とを備える。【選択図】図４
0003182887.tif 000002
【実用新案登録請求の範囲】
【請求項１】
油の容器と獣毛を組み合わせ効率化をし、また容器にダイヤル式ポンプを備え付けることによりオイルの無駄を無くし、適量のオイルが獣毛に染み込む仕組みになっているハサミ専用オイルペンです。
【考案の詳細な説明】
【技術分野】
【０００１】  本発明は、理美容ハサミ専用のオイルペンで、ハケ一塗りで簡単にハサミの切れ味を再現できます。
【背景技術】
【０００２】従来の理美容ハサミのメンテナンスは、油とセーム革を用いて切れ味を再現させています。【０００３】メンテナンスとは、ハサミを修理に出すまでの期間自分で行うお手入れです。
【先行技術文献】
【０００４】
【特許文献】
【特許文献】特開２０００−２７９８７３（Ｐ２０００−２７９８７３Ａ）
【考案の概要】
【考案が解決しようとする課題】
【０００５】従来のメンテナンス方法ですと、ハサミを熱湯で洗いタオルドライした後オイルを差し、さらにセーム革で拭き取る作業が必要になり手間がかかります。【０００６】また、メンテナンス方法が難しい為にセーム革を上手に使用する人が少なく、切れ味を再生させる効果にバラツキが出ます。【０００７】安全性にも問題があり、メンテナンスする際に刃に直接触れる為、指を切る危険性があります。【０００８】従来のハサミ専用油は、適量を散布するものがありません。【０００９】本発明は、このような従来の問題を解決しようとするものであり、従来の方法ですと機能的、経済的、安全面においても物足りない物であった。
【課題を解決するための手段】
【００１０】そして、本発明はこれら問題を解決する為油を入れる容器とセーム革の代替として獣毛を組み合わせる事により、素早くメンテナンスを行うことが可能になります。【００１１】セーム革の代替として獣毛を使用する概念は刃物や金属製品にはなく、数々の検証を重ねセーム革よりも獣毛を使用した方が確実に効果が発揮されることが解りました。【００１２】また、獣毛の毛の角度を散布し易くし、安定した効果のでる毛の角度にしております。【００１３】さらに、獣毛の毛を安全な位置まで長くし持ち手を指定することにより安全性が向上いたします。【００１４】油容器から抽出する油の量をダイヤルで少しずつ出しながら散布する事により適量が散布でき油の無駄がなくなります。
【考案の効果】
【００１５】上述したように、理美容師専用オイルペンは油の容器と獣毛を組み合わせる事により効率よくメンテナンスができ、更にハケ一塗りで切れ味軽くスムーズにする画期的な発明です。【００１６】獣毛の毛丈は毛筋が細くくせ毛で肌当たりも良く更にコシがある特徴があり、また元々油分を含んでいる為それらが作用し使い込んだ刃の返り刃を均等に戻しながらも、余分な荒い刃を取る効果が見られます。【００１７】獣毛の毛について、山羊、豚、馬、リス、猫、コリンスキー、ポリエステル、ナイロンなど、全て検証した結果最も効果があるのが獣毛だと確認しました。【００１８】刃物のメンテナンスとして、一般的に使われているセーム革よりも獣毛の方が相性が良い事も今回解りました。【００１９】これら実験結果は現役美容師さん、１００人の検証結果から判明しました。
【図面の簡単な説明】
【００２０】
【図１】側面右断面図
【図２】側面左断面図
【図３】全面の断面図
【図４】先軸部分の拡大断面図
【図５】上部断面図
【図６】下部断面図
【図７】毛束拘束部断面図
【図８】結合部の拡大断面図
１．  塗布体
２．  毛束
３．  隔壁部材装着部
４．  先軸
５．  開口割溝
６．  前側係合部材
７．  被係止部
８．  外周拘束部
９．  液体吐出パイプ
１０．前側被係止部
１１．外周筒部
１２．液体収容室
１３．本体軸
１４．ダイヤル回転部
１５．Ｏリング
１６．逆回転防止部材
１７．ツマミ部材
１８．ピストン
１９．毛束挿通孔
【００２１】以下、本発明の実施の形態を図１〜図８に基づいて説明する。
【００２２】図１においては、ツマミ部分１７を右に回す事により適量の油が抽出される。
【００２３】図４の液体収容室１２の油が液体排出パイプ９を通り毛束部分２に染み込む仕組みになります。
【符号の説明】
【００２４】２  毛束部分（獣毛）
【考案を実施するための形態】
まず、オイルペンのダイヤルを回し適量の特殊油を抽出した後、ハサミのネジ部、触点に塗り、さらに裏刃の刃先に向かって塗り、ハサミの開閉をスムーズにし切れ味を再生させる。
【図１】
0003182887.tif 000003
【図２】
0003182887.tif 000004
【図３】
0003182887.tif 000005
【図４】
0003182887.tif 000006
【図５】
0003182887.tif 000007
【図６】
0003182887.tif 000008
【図７】
0003182887.tif 000009
【図８】
0003182887.tif 000010
【手続補正書】
【提出日】平成25年1月22日(2013.1.22)
【手続補正１】
【補正対象書類名】実用新案登録請求の範囲
【補正対象項目名】全文
【補正方法】変更
【補正の内容】
【実用新案登録請求の範囲】
【請求項１】
油を収容した液体収容容器と、獣毛からなる毛束部分から構成される塗布体と、前記液体収容室と連通して、前記塗布体に油を染み込ませる液体排出パイプと、前記液体収容容器の後端側に配置され、ツマミ部分を回すことにより適量の油を抽出可能なダイヤル回転部とを備えたことを特徴とする理美容ハサミ専用オイルペン。
(57)【要約】      （修正有）【課題】ハンドルの回転を制御し、駐輪時にハンドルが動き自転車が倒れることを防ぐ自転車ハンドル制御器を提供する。【解決手段】自転車のハンドルの回転部分と固定部分に巻き付けて自転車のハンドルの回転を制御するための自転車ハンドル制御器であって、筒状のゴム２の輪の内側部分にゴム１で段差をつけ、前記筒状のゴム１の輪に切り込みを入れ、前記筒状のゴム１の外周をバンド３で巻き、前記バンド３をボルト４で締めることを特徴とする。【選択図】図１
0003182886.tif 000002
【実用新案登録請求の範囲】
【請求項１】
筒状のゴムの輪の内側部分にゴムで段差をつけ、筒状のゴムの輪に切り込みを入れ、バンドで巻き、ボルトで締めることを特徴とする。
【考案の詳細な説明】
【技術分野】
【０００１】本考案は、自転車のハンドルの回転を制御するものである。
【背景技術】
【０００２】従来の自転車ハンドル制御器に関しては、取り付けるのにハンドルを外さなければならず一般の人には難しく、できなかった。
【考案の概要】
【考案が解決しようとする課題】
【０００３】従来の器具は、取り付け時にハンドルを外して付けなければならず、一般の人にはとても難しく、取り付ける事が容易ではない。したがって、誰にでも簡単に取り付けられるようにただはめ込みネジをつけるだけにしたものである。
【課題を解決するための手段】
【０００４】本考案は、自転車のハンドルの回転部分と固定部分を切れ目の入った筒状のゴムを巻き付け、ハンドルの回転を制御するものである。
【考案の効果】
【０００５】  ハンドルの回転部分と固定部分に巻き付けられた筒状の切れ目の入ったゴムおよびシリコン樹脂によってハンドルの回転を制御し、駐輪時にハンドルが勝手に動き自転車が倒れるのを防ぐことができる。
【図面の簡単な説明】
【０００６】
【図１】段差をつけた筒状のゴムの輪にバンドを巻き付けた
【図２】バンドの内側、ゴム部分の断面図
【考案を実施するための形態】
【０００７】    筒状の切れ目の入ったゴムを自転車のハンドルの回転部分と固定部分にはめこみ、バンドを巻き付けネジによってバンドをしめつけ、ハンドルの回転を鈍くすることによってハンドルが自然に動くのを止める。
【実施例】
【０００８】  駐輪時に、バンドのネジを締め、走行する時にネジをゆるめる。【０００９】  自転車の走行時にネジをゆるめる事を忘れて走行しても、ハンドルがやや重く感じる程度で、何の問題もない。
【符号の説明】
【００１０】１  段差部分のゴム
２  ゴム
３  バンド
４  丸カンボルト
【図１】
0003182886.tif 000003
【図２】
0003182886.tif 000004
【手続補正書】
【提出日】平成25年1月23日(2013.1.23)
【手続補正１】
【補正対象書類名】実用新案登録請求の範囲
【補正対象項目名】全文
【補正方法】変更
【補正の内容】
【実用新案登録請求の範囲】
【請求項１】
自転車のハンドルの回転部分と固定部分に巻き付けて自転車のハンドルの回転を制御するための自転車ハンドル制御器であって、筒状のゴムの輪の内側部分にゴムで段差をつけ、前記筒状のゴムの輪に切り込みを入れ、前記筒状のゴムの外周をバンドで巻き、前記バンドをボルトで締めることを特徴とする自転車ハンドル制御器。
(57)【要約】      （修正有）【課題】魚体の小さなきびなご等の三枚開き、鰺、鰯等のフィレ加工を効率的に行え、かつ、小型軽量化を図った小魚調理装置を提供する。【解決手段】魚体は、真空吸引用小孔開口分割式固定型１（略真直ぐに魚体窪み加工）により固定される。魚頭除却工具２で魚頭を除却後、三枚開き加工工具３で三枚開き加工し、中骨抓み工具４で中骨を抓み、固定型を開放後三枚開き魚と中骨が分離される。魚頭、内臓等は真空吸引除去される。魚体は搬送コンベアで供給され、三枚開き後搬出コンベア上に搬出され、洗浄水槽へ搬出される。これらをコンパクトに配置することで小型軽量化を図る。尚、鰺、鰯等のフィレ加工は三枚開き工具を貫通させ加工する。【選択図】図１
0003182571.tif 000002
【実用新案登録請求の範囲】
【請求項１】
略真直ぐに魚体窪み加工し、真空吸引用の小孔が多数孔明けされた二分割式魚体固定型に小魚を固定した後、頭部除却工具で魚頭部を除却し、三枚開き加工工具で魚体を三枚開き加工した後、中骨抓み工具で中骨を抓み、固定型を開放し、三枚開き魚と中骨を分離することで構成される加工部と、除却頭部吸引、除却内臓吸引手段と、小魚を上面に載置して搬送する搬送コンベアと三枚開き魚、中骨の搬出コンベアとから構成される小魚調理装置。
【請求項２】
請求項１に記載の構成を有する小魚調理装置を複数設置した小魚調理装置
【考案の詳細な説明】
【技術分野】
【０００１】本考案は、きびなご、鰺、鰯等小魚を頭部切断除却し、内臓、中骨を除却して、三枚開きする小魚の調理装置に関する。
【背景分野】
【０００２】きびなごは８〜１０ｃｍ程度の小魚である。きびなごはその大きさから手指開きで三枚開きにして刺身として食されている。こうした専ら人手による作業のため、刺身としての流通は限定的であり、きびなごの販路も限定的である。２０〜２５ｃｍ程度の鰺、鰯等の三枚開きも手作業に頼っている現状にある。一方、水産加工業においては人員不足、後継者不足や従事者の高齢化が進んでいる状況にある。
【先行技術分野】
【０００３】鰺、鰯等の小魚調理装置は、水産加工会社向けにコンベアによる搬送固定法等で、回転刃物加工法等での三枚開きや、フィレ加工の自動化装置等が市販化されている。装置の寸法制約や価格等から、鮮魚店、スーパー等への導入はまだ図られていない状況にある。
【考案の概要】
【考案が解決しようとする課題】
【０００４】魚体の小さなきびなごの三枚開きの機械化を図るには、魚体の固定法が課題である。また三枚開きを含めた加工工具、加工方式を工夫すること、更に、鮮魚店、スーパー等に置ける小型軽量化が課題である。鰺、鰯等のフィレ加工も可能であることも課題である。
【課題を解決するための手段】
【０００５】魚体の小さなきびなご等を考慮して、真空吸引用小孔開口固定型に魚体を吸引固定する固定法を採用している。固定型は分割型で、魚体を略真直ぐに窪み加工することで、三枚開き加工工具の動きを直線駆動に簡略化している。三枚加工工具は薄型工具を使用し、工具をずらして配置する。加工の際の魚頭、内臓等は真空吸引除去する。魚体は搬送コンベアで固定型に供給され、三枚開き後中骨抓み工具で中骨を抓み、固定型を開放して三枚開き魚、中骨は、搬出コンベア上に搬出され、洗浄水槽へ搬出される。これらをコンパクトに配置することで小型軽量化を図る。尚、鰺、鰯等のフィレ加工は三枚開き工具を魚体貫通して加工する。
【考案の効果】
【０００６】本考案の小魚調理装置は、きびなご等の三枚開きから、鰺、鰯等のフィレ加工用途に使用可能である。
【図面の簡単な説明】
【０００７】
【図１】小魚調理装置の加工部分を示した説明図である。
【図２】真空吸引用小孔開口固定型を示した説明図である。
【図３】三枚開き加工工具の加工状況を示した説明図である。
【図４】魚体搬送コンベアと三枚開き後の魚搬出コンベアを示した説明図である。
【考案を実施するための形態】
【０００８】魚体は魚体搬送コンベア２０で真空吸引用小孔開口固定型（以下、固定型）１に魚体固定型供給ガイド２１を滑落供給される。魚体は、固定型１に投入された後、魚体セットバー１０で固定型１の窪みに略セットされ、固定型１固定の後真空吸引固定される。
【０００９】魚体固定後、頭部除却工具で頭部が除却される。次に三枚開き加工工具３（３ａ、３ｂ）により三枚開き加工される。加工中、頭部吸引ノズル５、内臓吸引ノズル６で頭部、内臓は夫々吸引除去される。三枚開き加工の後、中骨除却工具４で中骨は抓み固定される。同時に固定型１が開口、真空吸引停止され、魚は魚搬出コンベア３０上に中骨と搬出される。魚、中骨は魚搬出コンベアにより洗浄水槽へ搬出される。尚、鰺、鰯等の三枚開き加工において、加工型１は三枚開き加工工具３ａ、３ｂの工具厚み分、開口寸法調整される。
【産業上の利用可能性】
【００１０】鰺、鰯等の干物加工用途向けには、三枚開き工具を一枚使用することで適用可能である。
【符号の説明】
【００１１】  １    真空吸引用小孔開口固定型
２    頭部除却工具
３    三枚開き加工工具
３ａ  三枚開き加工工具
３ｂ  三枚開き加工工具
４    中骨抓み除却工具
５    頭部吸引ノズル
６    内臓吸引ノズル
７    加工工具長手方向駆動装置
１０    魚体セットバー
２０    魚体搬送コンベア
２１    魚体固定型供給ガイド
３０    魚搬出コンベア
Ｆ    魚
ｈ    真空吸引用小孔
【図１】
0003182571.tif 000003
【図２】
0003182571.tif 000004
【図３】
0003182571.tif 000005
【図４】
0003182571.tif 000006
(57)【要約】      （修正有）【課題】洋式便器で検便用大便が容易に採取できるようにした検便採取用具に関する検便紙を提供する。【解決手段】水溶性の紙その他の素材を用いた帯状体を便器の短径を横切り、便器内で水溜りに接触しない適当な弛みができる長さに形成され、帯状体の検便紙１両端附近には便座に貼り付ける両面粘着テープ２を剥離容易な挟持片２ａを設けた構造とする。採便後粘着テープ附近で検便紙を手でちぎりそのまま便器内に簡単に流せる。残った粘着テープ部２は挟持片２ａを引き剥がして一般ゴミとして処理できる。【選択図】図１
0003182575.tif 000002
【実用新案登録請求の範囲】
【請求項１】
水溶性の紙その他の素材のよって構成した適宜幅の帯状体で一方を１ａ直線に他方の中央部は１ｂ略山形を形成し、長手方向の両端附近に４便座に取り付ける２粘着テープを設け、１検便紙は様式便器の４便座の短径を横切り水溜りに接触しない弛みをつけて使用することができることを特徴とする検便採取用の検便紙。
【請求項２】
水溶性の紙その他の素材のよって構成した適宜幅の帯状体で一方を１ａ直線に他方の中央部は１ｂ略山形を形成し、長手方向の両端附近に４便座に取り付ける２粘着テープを設け、１検便紙は様式便器の４便座の短径を横切り水溜りに接触しない弛みをつけて使用することができる１検便紙で、４便座に取り付ける２粘着テープは、１検便紙より約１５ミリ出して２ａ挟持片とし、２ａ挟持片の表裏には２ｂ粘着防止の紙片等を貼りつけたことを特徴とする検便採取用の検便紙。
【考案の詳細な説明】
【技術分野】
【０００１】  本考案は、通常の健康診断等で医療機関などから検便用の採便具が送付されるが、その際、様式便器でも容易に検便を採取できる検便採取具に関するものである。
【背景技術】
【０００２】  従来は、便器に新聞紙等を置いたり、トイレットペーパーをいっぱい出し便器に浮かして、検便採収する場合、便器内の水が浸み込み、水中に沈んだり、普及している自動排水方式の便器では、その都度電源をコンセントから抜かなければならず極めて煩わしく、特に女性の場合排便時に排尿することがあり、その対応にほとんどの人が困窮しているのが現状である。
【考案の概要】
【考案が解決しようとする課題】
【０００３】  従来、上記のように検便採取時の処理が煩わしくなく安価で容易に衛生的におこなえる検便採取具の検便紙を提供するものである。
【課題が解決するための手段】
【０００４】  本考案は上記の目的を達成するもので、水溶性の紙その他の素材によって構成した適宜の帯状体の１検便紙を、４便座の短径を横切り４便座の中間部に適度の弛みをもたせて、１検便紙の両端部を２両面粘着テープで貼り付ければよいものである。検便の採取が終了したら、後始末は左右の２両面粘着テープ付近で１検便紙を手でちぎって便器内に流せばよいものである。４便座に残った１検便紙の両端部は２両面粘着テープの２ａ挟持片を指で引けば簡単に剥離するので一般ゴミとして処置できる。２両面粘着テープは剥がし易くするため、２両面粘着テープの端部を帯状体の１検便紙の直線部より約１５ミリ程度出して２ａ挟持片を形成する。２ａ挟持片の両面粘着部は取り扱い中に指等に付かないようにする２ｂ粘着防止紙片等を張り付ける。更に本考案品は使用時の位置決めを容易にするため帯状体に１ｂ山形部を設けた構造である。
【考案の効果】
【０００５】  考案は上記のように構造としたので、様式便器で大便を採取する場合、１検便紙の１ｂ山形部を４便座の奥に軽く当て位置決めができる。１検便紙の両端附近に取り付けた２両面粘着テープで４便座に簡単に取り付けができる。検便採取後は４便座の２両面粘着テープ附近でちぎり、そのまま便器に流せば水溶性のため容易に後始末ができる。４便座に残った２両面粘着テープは２ａ挟持片を引けば簡単に剥がれそのまま通常のごみとして処理でき衛生的で優れた特徴を有している。
【実施例】
【０００６】  以下、本考案の実施例を図面を参照して説明する。
図１は本検便紙の構造を示した正面図を示す。図２本検便紙の平面図を示す。
本考案の１検便紙は、水溶性の紙その他の素材によって構成した適宜の帯状体で、１検便紙の幅の一方は１ａ直線をなし、他方は１ｂ略山形を形成する。両端部には本考案品を使用する場合に４便座へ固定する２粘着両面テープが取り付ける。１検便紙を検便採取に使用する時、１ｂ山形部を４便座の後方に軽く接触させて位置決めし、１検便紙の両端附近にある２粘着両面テープで４便座に粘着固定する。【０００７】  図３は本考案品の１検便紙を使用する時の状態を示したものである。４便座の奥に１検便紙の１ｂ山形部を当て位置決めして、１検便紙を４便座へ２両面粘着テープで貼り付ける。【０００８】  図４は１検便紙を４便座に取り付ける場合、３便器の水溜り部に１検便紙が接触しない程度の弛みを持たせ４便座の両縁部に２両面粘着テープで貼り付ける。【０００９】  図５は２両面粘着テープの形状を表したもので、検便採取後、４便座に貼り付けた１検便紙を簡単に剥がすための構造を示したものである。２両面粘着テープは１検便紙の両端部附近に取り付ける。１検便紙の１ａ直線部より約１５ミリ程度２ａ挟持片が出るように形成する。また、２ａ挟持片は１検便紙の端部を容易に剥がせるようにするためのもので、粘着部が指等へつく煩わしさを防止のため、２ａ挟持片の上下面共、同等の大きさの２ｂ粘着防止紙片等を貼り付けて指に粘着しないようにする。【００１０】図６は１検便紙を３便座に取り付けた状態の斜視図を示す。検便を１検便紙に採取した後、１検便紙の２両面粘着テープ附近で手でちぎり、便器に流して処理する。後処理の煩わしさをなくし簡単に処理できるものである。
【図面の簡単な説明】
【００１１】
【図１】本考案の検便紙の実施例を示す正面図
【図２】本考案の検便紙平面図
【図３】本考案の使用時の状態図
【図４】本考案品の検便紙を便座に取り付けた断面図
【図５】本考案品を便座に取り付ける両面粘着テープの断面図
【図６】便座に検便紙を貼り付けた状態斜視図
【符号の説明】
【００１２】１  検便紙
１ａ検便紙直線部
１ｂ検便紙の山形部
２  両面粘着テープ
２ａ挟持片
２ｂ粘着防止紙
２ｃ粘着面
３  便器
４  便座
【図１】
0003182575.tif 000003
【図２】
0003182575.tif 000004
【図３】
0003182575.tif 000005
【図４】
0003182575.tif 000006
【図５】
0003182575.tif 000007
【図６】
0003182575.tif 000008
(57)【要約】      （修正有）【課題】摩擦力を用いずに姿勢を固定する事が可能になり、結果として構造が単純で製造が簡単になり、また姿勢を固定する部品の寿命を延長することが可能になる姿勢固定装置を提供する。【解決手段】内部が空洞になっている装置外殻１があり、外殻は底部に向かうほど前後または左右あるいはその両方の幅が狭まる構造になっており、さらにその外殻の内部に、外殻内に納まる大きさの固体が一つ以上入っている事、または外殻の内部に、貯留できる最大量の１％以上９９％以下の液体が入っている事を特徴とする姿勢固定装置である。【選択図】図１
0003182579.tif 000002
【実用新案登録請求の範囲】
【請求項１】
内部が空洞になっている装置外殻があり、外殻は底部に向かうほど前後または左右あるいはその両方の幅が狭まる構造になっており、さらにその外殻の内部に、外殻内に納まる大きさの固体が一つ以上入っている事、または外殻の内部に、貯留できる最大量の１％以上９９％以下の液体が入っている事を特徴とする姿勢固定装置
【考案の詳細な説明】
【技術分野】
【０００１】この考案は、姿勢を固定する装置の構造に関するものである。
【背景技術】
【０００２】  従来、机などに固定されたライトの向きを変える、スタンドに取り付けられた測定器の向きを変える、あるいはプラモデルなどの人形や玩具の関節の向きを変えるなどするときは、関節部のネジを緩めて向きを変えて再びネジを締める、または常に押し付けられている状態から力を加えて向きを変える事で実現する、すなわち「摩擦力」を一時的に弱める方法か、あるいは摩擦力に打ち勝つ力を用いる事が多かった。
【先行技術文献】
【特許文献】
【０００３】  なし
【考案の概要】
【考案が解決しようとする課題】
【０００４】  しかしながら従来技術では、適度な摩擦力を得る構造にするために部品の精度が求められ、生産する際のコストがかかり、また不良が発生する恐れも高かった。
加えて、ネジで締め付けたり、摩擦力に打ち勝つ力を用いて姿勢を変えると、部品が強い力で擦れる事でその部分の磨耗が早くなってしまい、これが製品の寿命を縮めてしまう原因になる。
そこで今回、高い精度を求めずとも製作が可能で、なおかつ摩擦力を用いずに姿勢を変える事が可能な装置を考案した。
【課題を解決するための手段】
【０００５】  課題を解決するための第一考案は、内部が空洞になっている装置外殻があり、外殻は底部に向かうほど前後または左右あるいはその両方の幅が狭まる構造になっており、さらにその外殻の内部に、外殻内に納まる大きさの固体が一つ以上入っている事、または外殻の内部に、貯留できる最大量の１％以上９９％以下の液体が入っている事を特徴とする姿勢固定装置である。
【考案の効果】
【０００６】  第一考案を用いる事により、摩擦力を用いずに姿勢を固定する事が可能になり、結果として構造が単純で製造が簡単になり、また姿勢を固定する部品の寿命を延長することが可能になる。
【図面の簡単な説明】
【０００７】
【図１】  本考案の一実施形態を示す断面図である。
【図２】  本考案の一実施形態を示す断面図である。
【考案を実施するための形態】
【０００８】  第一考案の一実施形態を、図１を用いて説明する。
まず外殻１があり、その中に砂２が入っており、本考案の装置に取り付けた搭載物３が上部に設置されており、これが地面４の上に乗っている。
外殻１は底部に向かうほど左右の幅が狭まっており、様々な姿勢になることができる構造になっている。
なお今回説明に用いた実施形態では、外殻１の底部は球体を半分に切った形状になっていることを想定しているが、必要に応じ、傾ける方向を固定するために円筒を中心線と同じ方向で切ったものを外殻として使用したり、また傾ける事ができる角度をある程度固定するために外殻１に平面で構成された部分を設けてもよい。
図１の状態から外殻１を傾けると図２のようになり、つまり砂２が移動して重心の移動が起こり、結果として姿勢を変えた状態のままで立つ事ができる。
さらに実施形態の別の例として、砂２を多面体や球体の物体に置き換えたり、材質や数、大きさや重量を変える、あるいは液体に置き換えることで、装置の振る舞いに変化が現れるため、使用条件によって外殻１の内容物を変えることが望ましい。
【実施例】
【０００９】  使用例として、図１及び図２には搭載物として例えばライトなどの軽量な電化製品や玩具を搭載する事により、摩擦による部品の損耗を気にせずに、必要に応じ素早く向きを変えることができるようになる。
【図１】
0003182579.tif 000003
【図２】
0003182579.tif 000004
(57)【要約】      （修正有）【課題】家具や既存の住宅などに変更を加えないでも設置可能で安価な減震装置を提供する。【解決手段】木などの外枠１の中に弾性に富むゴム２などを満たしその中間に鉄などの剛重体３を入れ、物体の特性により地震などの揺れを減らす効果を現す。さらに木などの外枠１の周囲をゴム体４で覆うことによる効果を高める。【選択図】図１
0003182599.tif 000002
【実用新案登録請求の範囲】
【請求項１】
箱体の中にゴムなどの弾性体を満たしその中心部に鉄塊などの剛重体を埋め込んで慣性の法則による減震効果を狙ったことを特徴とする減震装置
【請求項２】
箱体などの天地および周囲をゴム体など摩擦と弾性に富むものでで覆うことを特徴とする請求項１に記載の減震装置
【考案の詳細な説明】
【技術分野】
【０００１】
本考案は地震の揺れに抵抗して家具や住宅の揺れを減じさせる効果を狙った装置に関するものである。
【背景技術】
【０００２】
簡易簡便な減震装置がない。慣性の法則、ゴムなどの程よい弾性と鉄などの重い塊の活用。
【考案の概要】
【考案が解決しようとする課題】
【０００３】
小型かつ安価で、家具や既存の住宅などに変更を加えないで設置可能な減震装置を提供する。
【課題を解決するための手段】
【０００４】
箱体などの中を弾性に富むゴムや低反発高分子樹脂などで満たしその中間辺に鉄などの剛重塊を入れ、各物体の特性からなる振動時に働く慣性の法則を活用して減震効果を生み出すことを特徴とする減震システム
【考案の効果】
【０００５】
家具や既存住宅などの空域やデッドスペースに安価で簡便、工事不要で誰にでも設置でき減震効果が上がる。
基礎部分や屋根裏などにも応用でき、新築時には大規模な減震装置として組み込むことも可能で大きな減震効果が期待できる。
【図面の簡単な説明】
【０００６】
【図１】本考案の装置を示した平面図である。
【図２】本考案の装置を示した断面図である。
【考案を実施するための形態】
【０００７】
家具や住宅のデッドスペースに本件装置を1個または数個、家具の転倒防止器具などによって設置固定する。
【実施例】
【０００８】
20X20(cm）高さ15cmの箱体を数個積み重ねて押入れの奥などに設置、
または屋根裏などには数個あるいは数十個横に並べて設置するなどとする。
タンスなどには個別に設置して、個別に揺れを減じさせる。
【産業上の利用可能性】
【０００９】
新築時には大量の本件ダンパーの埋め込みまたは設置によって大きな効果があげられるので、
本来は既存住宅用の減震システムであるが、新築時にも本件装置の活用の道は広がる
【符号の説明】
【００１０】
1  木などの外枠
2  ゴムなどの弾性体
3  鉄塊などの剛重体
4  外周に付せられたゴム体
【図１】
0003182599.tif 000003
【図２】
0003182599.tif 000004
(57)【要約】      （修正有）【課題】入浴後、短時間に衛生的な足の乾燥を立ったままで実施できる足乾燥装置を提供する。【解決手段】可視光応答型光触媒を塗布した足拭きマット３と熱風を噴出する送風部２と送風部と一体化された手すり１で構成することで、短時間に衛生的な足の乾燥が可能となる。【選択図】図１
0003182598.tif 000002
【実用新案登録請求の範囲】
【請求項１】
可視光応答型光触媒を塗布した足拭きマットと熱風を噴出する送風部と送風部と一体
化された手すりで構成された足乾燥装置。
【考案の詳細な説明】
【技術分野】
【０００１】
本考案は、入浴後に使用する足乾燥装置に関するものである。
【背景技術】
【０００２】
入浴後に足を清浄し水分をふき取るため、一般的には布地の足拭きマットが使用され
ている。足拭きマットは複数の人が使用する場合、水分がしみこみ蓄積するだけでなく
足からの細菌、水虫菌等を蓄積しマットを不潔にするという問題がある。
【０００３】
この問題を解決する為に、例えば特許文献１及び特許文献２のように温風を噴出する
ことのできる装置の上に足を直接乗せて乾かす提案がなされている。
【０００４】
特許文献３には水虫菌を抑制する、菌抑制剤を噴霧する機能を備えさらには温風乾燥
の最適温度調整も可能な装置が提案されている。
【先行技術文献】
【特許文献】
【０００５】
【特許文献１】特開２００３−０６１８６４号公報
【特許文献２】特開平０８−１６４０８８号公報
【特許文献３】特表２００２−５０１４０３号広報
【考案の概要】
【考案が解決しようとする課題】
【０００６】
しかしながら、これらの提案は装置に直接足を乗せるタイプのため、足と装置の表面
が触れてしまい細菌との接触の可能性が高く衛生的に問題がある。
【０００７】
また装置が小型で風量を大きくすることができないため乾燥に長時間を必要とする。
これらの装置は立ったままでの使用は困難で椅子に座って使用することになる。
【０００８】
さらには、小さな装置の中に送風、過熱、薬剤噴霧等の機能を持たせるため費用的な
問題も発生する。
【０００９】
すなわち、従来の方法では入浴後、短時間に衛生的な足の乾燥を立ったままで行うこ
とは困難であった。
【課題を解決するための手段】
【００１０】
本考案では入浴後、短時間に衛生的な足の乾燥を立ったままで行うことを可能にする
ために、可視光応答型光触媒を塗布した足拭きマットと熱風を噴出する送風部と送風部
と一体化された手すりを使用する構成とした。
【考案の効果】
【００１１】
本考案では可視光応答型光触媒を塗布した足拭きマットと熱風を噴出する送風部と送
風部と一体化された手すりを使用することにより入浴後、短時間に衛生的な足の乾燥を
立ったままで行うことを可能にした。
【図面の簡単な説明】
【００１２】
【図１】本考案の足乾燥装置の構成図である。
【図２】本考案の送風部の構成図である。
【図３】本考案の可視光応答型光触媒を塗布した足拭きマットの詳細図である。
【考案を実施するための形態】
【００１３】
以下本考案の実施例について説明する。
【００１４】
図１において足乾燥装置１１は足拭きマット３と、送風部２と、一体化された手すり1を具備しており、足乾燥装置１１の利用者はこの手すり1につかまることにより、片方の足を宙に浮かせることができる。
【００１５】
宙に浮かせた足を図２で示す空気を噴出させるノズル７に近づけると人感センサー９によりファン５及びヒーター６の動作が開始し、空気吸入口４から流入した空気は暖められて空気噴出口８より噴出する。このときノズル７で搾られた空気は速度が高められていて短時間に足を乾燥することができる。
【００１６】
一方、もう片方の足は足拭きマット３に乗っているので足拭きマット３と直接接触することになる。本実施例では足の裏との接触面積を小さくする為に図３に示すように針状  の構成とした。また足拭きマット３の針状構成部の表面３aには可視光応答型の光触媒が塗布されている。マット３の材質は特に指定はないが、熱可塑性樹脂およびゴム材が好ましい。
【００１７】
可視光応答型の光触媒は通常の照明で除菌が可能である為、足拭きマット３は常に清潔な状態が保たれている。以上のように構成することにより短時間に衛生的な足ふきが可能になる。可視光応答型の光触媒は特に指定はないが酸化チタンにC,N,Wをドーピングしたものや鉄および銅の酸化物を装飾したものなどが好ましい。
【産業上の利用可能性】
【００１８】
本考案の足乾燥装置は銭湯、温泉旅館、フィットネスクラブおよび家庭用としても利用ができる。
【符号の説明】
【００１９】
１  手すり
２  送風部
３  足拭きマット
４  空気吸入口
５  送風ファン
６  ヒーター
７  ノズル
８  空気噴出口
９  人感センサー
１１  足乾燥装置
【図１】
0003182598.tif 000003
【図２】
0003182598.tif 000004
【図３】
0003182598.tif 000005
(57)【要約】      （修正有）【課題】ダッシュボードに入り込む太陽光を利用し、ダッシュボードに太陽光パネルを配置した自動車を提供する。【解決手段】自動車のダッシュボードに太陽光パネル１を配置し発電させ、発電した電気を自動車内部の電装に利用したり、外部用電源として利用する。【選択図】図２
0003182559.tif 000002
【実用新案登録請求の範囲】
【請求項１】
自動車のダッシュボードに太陽光パネルを組み込む。
ダッシュボードとは、フロントウィンドウ下に運転席前方から助手席前方にかけて存在するパーツ全体を指す。
自動車のダッシュボードには高熱になるほど強い太陽の光が入ります。
このダッシュボードに太陽光パネルを組み込み発電させたいと考えました。
発電した電気は自動車自身のガソリン節約に使ったり、他の電源として利用できます。
【考案の詳細な説明】
【技術分野】
【０００１】自動車のダッシュボード設計製造技術、太陽光パネル設計製造技術
【考案の概要】
【考案が解決しようとする課題】［自動車のダッシュボードには高熱になるほど太陽光が入り込みますが利用されていません］
【課題を解決するための手段】［自動車のダッシュボードに太陽光パネルを組み込み発電させる］
【考案の効果】［この発電により自動車自身のガソリン節約や他の電気エネルギーとして利用できる］
0003182559.tif 000003
【手続補正書】
【提出日】平成25年1月14日(2013.1.14)
【手続補正１】
【補正対象書類名】実用新案登録請求の範囲
【補正対象項目名】全文
【補正方法】変更
【補正の内容】
【実用新案登録請求の範囲】
【請求項１】
ダッシュボードに太陽光パネルを配置したことを特徴とする自動車。
【手続補正２】
【補正対象書類名】明細書
【補正対象項目名】全文
【補正方法】変更
【補正の内容】
【考案の詳細な説明】
【技術分野】
【０００１】「自動車のダッシュボードに太陽光が十分入りますが、車内を暑くするだけで利用されていません。自動車のダッシュボードに太陽光パネルを配置し発電させ、発電した電気を自動車内部の電装に利用したり、外部用電源として利用出来ます。」「技術分野としてダシュボード設計製造技術や太陽光パネル設計製造技術などが考えられます。」
【図面の簡単な説明】
【０００２】
【図１】「一般的な自動車のダッシュボードの例」
【図２】「自動車のダッシュボードに太陽光パネルを配置した例」
【符号の説明】
【０００３】「符号▲１▼は太陽光パネル」
【手続補正３】
【補正対象書類名】図面
【補正対象項目名】全図
【補正方法】追加
【補正の内容】
【図１】
0003182559.tif 000004
【図２】
0003182559.tif 000005
(57)【要約】      （修正有）【課題】芋などの皮むきを電動モータの回転力及び網状の筒に取り付けた刃により容易に皮をむけるようにする電動皮むき器を提供する。【解決手段】皮むき容器は外枠ケースで覆われ内部は円筒状で給水口１１を設けた蓋７があり内部容器２に沿って皮をむくための筒状の網に刃がついていて、容器２の底には皮をむく対象物を回転させるための回転板５が備えてあり、回転板５は回転モータ４で駆動し、容器の底には排水アナ８が設けてある。【選択図】図２
0003182191.tif 000002
【実用新案登録請求の範囲】
【請求項１】
外枠ケース（１）の内側は円筒状の容器（２）になっていて容器には注水口（１１）を備えた蓋（７）があり、容器の内側に沿って凹凸の刃を有した取外しができる網状の筒（６）が設けてあり、容器の底には攪拌用の羽根（５）を有した電動モータ（４）で駆動する回転板（５）及び排水口（８）を備えた芋（１０）などの電動皮むき器。
【考案の詳細な説明】
【技術分野】
【０００１】  本考案は芋などの皮むき器に関する。
【背景技術】
【０００２】  従来、芋などの皮をむくにはピラーにより手動で行っていたがそれによると手間と時間がかかり労力的にも不経済だった。またじゃがいもは凹凸が多くそれをなくすまでむくと身が減り無駄が多かった。
【考案の概要】
【０００３】  円筒状の容器の内側に皮をむくための凹凸の刃を有した筒状の網が設けてあり容器に水を入れて皮をむく対象物が容易に動くようしてあり底に備えた回転板を電動モータで回転させることにより対象物が凹凸の刃を有した網にあたり皮がむける仕組みになっている。
【考案が解決しようとする課題】
【０００４】ジャガイモなどの表面が凸凹しているものは凸凹に沿って皮をむかなければならず手でむくときはとても面倒で時間もかかって労力的にも不経済である。
【課題を解決するための手段】
【０００５】  皮むき容器は外枠ケースで覆われ内部は円筒状で注水口を設けた蓋があり内部容器に沿って皮をむくための刃がついた取外しできる網状の筒が挿入され、容器の底には皮をむく対象物を回転させるための回転板が備えていて、回転板は電動モータで駆動し、容器の底には排水口が設けてある。【０００６】
【図面の簡単な説明】
【０００７】
【図１】本考案の全体図。
【図２】本考案構造図。
【図３】本考案使用状態図
【考案を実施するための形態】
【０００８】  容器に対象物を入れて蓋をし、注水口より注水し電動モータを駆動すると対象物が回転板の作用により回転浮動して周囲の網状の筒の刃に当たり皮がむける。
【実施例】
【０００９】  皮をむく対象物で凸凹のあるジャガイモやサツマイモなどを用意し本考案の皮むき器の容器に入れて蓋をし、排水口を締めて注水口から水を入れてから電動モータのスイッチを入れると回転板が回転しその勢いで対象物が回転浮動して周囲の網状の刃に当たり均等に皮がむける。むき終わったあとは排水口を開いて水とむいた皮を排出する。【００１０】    １０の芋は５の回転板により急回転し遠心力によって６の皮むき網に当たり皮が、むけ、回転速度は自由に変更できるようになっている。
【符号の説明】
【００１１】１．本体
２．容器
３．回転プーリー
４．回転モータ
５．回転板
６．皮むき網張外枠
７．ふた
８．排水アナ
９．電源スイッチ
１０．芋
１１．給水口
【図１】
0003182191.tif 000003
【図２】
0003182191.tif 000004
【図３】
0003182191.tif 000005